(57)【要約】【課題】プリズムを傷つけることなく、光学装置を十分に固定することができる光学装置搬送用梱包箱を提供すること。【解決手段】部品台座４５２と、部品台座４５２の上面に固定されるパネルユニット４４５と、部品台座４５２の上面にパネルユニット４４５よりも低い状態で固定されるプリズム４４４とを有する光学装置４４を搬送するための光学装置搬送用梱包箱１０であって、パネルユニット４４５と接して光学装置４４を保持する底面部材１４と、部品台座４５２の略全面において、部品台座４５２と接することによって光学装置４４を固定する固定部材２０と、を有する。【選択図】図２
2008195452.tif 000002
【特許請求の範囲】
【請求項１】
部品台座と、前記部品台座の上面に固定されるパネルユニットと、前記部品台座の上面
に前記パネルユニットよりも低い状態で固定されるプリズムとを有する光学装置を搬送す
るための光学装置搬送用梱包箱であって、前記光学装置搬送用梱包箱は、
前記パネルユニットと接して前記光学装置を保持する底面部材と、
前記部品台座の略全面において、前記部品台座と接することによって前記光学装置を固
定する固定部材と、
を有することを特徴とする光学装置搬送用梱包箱。
【請求項２】
各前記光学装置を互いに隔離するための隔離部材を有することを特徴とする請求項１に
記載の光学装置搬送用梱包箱。
【請求項３】
前記光学装置搬送用梱包箱の側面部を外部と遮蔽する側面遮蔽部材が前記固定部材と一
体に設けられていることを特徴とする請求項１に記載の光学装置搬送用梱包箱。
【発明の詳細な説明】
【技術分野】
【０００１】
本発明は、プロジェクタの製造工程において使用される光学装置搬送用梱包箱に関する
ものである。
【背景技術】
【０００２】
従来、精密機器の部品を搬送するためには、部品ごとに適した梱包箱が使用されている
（例えば、特許文献１）。
プロジェクタの製造工程においては、その部品である光学装置４４（図５参照）を搬送
するために、例えば、図１５（ａ）のような梱包箱１００が使用されていた。後述のよう
に、光学装置４４は、プロジェクタ３０（図３参照）内部の部品である。
梱包箱１００は、外面部材１００ａと、底面部材１００ｂ、中間部材１００ｃ及び表面
部材１００ｄを有する。中間部材１００ｃ及び表面部材１００ｄには、貫通孔が設けられ
ており、底面部材１００ｂ、中間部材１００ｃ及び表面部材１００ｄによって、凹部１０
０ｅを形成している。
図１５（ｂ）に示すよう、光学装置４４の脚部４５２ａが凹部１００ｅにおいて、中間
部材１００ｃに接し、ケーブル４５０が凹部１００ｅに格納されるようになっている。
そして、外面部材１００ａに配置された突起部材１００ｆがプリズム４４４に接するこ
とによって、光学装置４４を梱包箱１００内に固定するようになっている。
【０００３】
【特許文献１】特開２００５−２４７４０１号公報
【発明の開示】
【発明が解決しようとする課題】
【０００４】
しかし、上述の梱包箱１００においては、光学装置４４を十分に固定することができず
、搬送中に光学装置４４に傷をつける場合があるという問題がある。
【０００５】
そこで、本発明は、プリズムを傷つけることなく、光学装置を十分に固定することがで
きる光学装置搬送用梱包箱を提供することを目的とする。
【課題を解決するための手段】
【０００６】
前記目的は、第１の発明によれば、部品台座と、前記部品台座の上面に固定されるパネ
ルユニットと、前記部品台座の上面に前記パネルユニットよりも低い状態で固定されるプ
リズムとを有する光学装置を搬送するための光学装置搬送用梱包箱であって、光学装置搬
送用梱包箱は、前記パネルユニットと接して前記光学装置を保持する底面部材と、前記部
品台座の略全面において、前記部品台座と接することによって前記光学装置を固定する固
定部材と、を有することを特徴とする光学装置搬送用梱包箱により達成される。
【０００７】
第１の発明の構成によれば、前記底面部材が前記パネルユニットと接することによって
、前記光学装置を保持することができる。これは、前記光学装置搬送用梱包箱内において
、前記プリズムは前記底面部材近傍に格納されつつ、前記底面部材に接することはないこ
とを意味する。このため、前記光学装置搬送用梱包箱内において、前記光学装置の重心が
低くなる。また、前記光学装置が他の部材によって傷つくことがない。
また、前記部品台座の略全面において、前記固定部材が前記部品台座と接することによ
って前記光学装置を固定する。これは、前記固定部材が前記光学装置を固定するために接
する面積が大きいことを意味する。このため、前記光学装置搬送用梱包箱内において、前
記光学装置をしっかりと固定することができる。また、前記固定部材は前記プリズムと接
しないから、前記プリズムを傷つけることはない。
これにより、前記光学装置搬送用梱包箱によれば、プリズムを傷つけることなく、光学
装置を十分に固定することができる。
【０００８】
第２の発明は、第１の発明の構成において、各前記光学装置を互いに隔離するための隔
離部材を有することを特徴とする光学装置搬送用梱包箱である。
【０００９】
第２の発明の構成によれば、前記光学装置搬送用梱包箱は、前記隔離部材を有するから
、前記光学装置搬送用梱包箱内において、前記光学装置同士が接するはない。
これにより、前記光学装置同士が接することによって、互いに傷付け合うことを防止す
ることができる。
【００１０】
第３の発明は、第１の発明の構成において、前記光学装置搬送用梱包箱の側面部を外部
と遮蔽する側面遮蔽部材が前記固定部材と一体に設けられていることを特徴とする光学装
置搬送用梱包箱である。
【００１１】
第３の発明の構成によれば、前記光学装置搬送用梱包箱は、前記側面遮蔽部材を有する
から、外部から前記光学装置搬送用梱包箱内に塵埃等の異物が進入することを防止するこ
とができる。
また、前記側面遮蔽部材が前記固定部材と一体に設けられているから、前記光学装置搬
送用梱包箱の部品点数を増やす必要はない。
これにより、前記光学装置搬送用梱包箱の部品点数を増やす必要はないにもかかわらず
、外部から前記光学装置搬送用梱包箱内に塵埃等の異物が進入することを防止することが
できる。
【発明を実施するための最良の形態】
【００１２】
以下、この発明の好適な実施の形態を添付図面等を参照しながら、詳細に説明する。
尚、以下に述べる実施の形態は、本発明の好適な具体例であるから、技術的に好ましい
種々の限定が付されているが、本発明の範囲は、以下の説明において特に本発明を限定す
る旨の記載がない限り、これらの態様に限られるものではない。
【００１３】
（実施の形態）
図１は、本発明の実施の形態に係る光学装置搬送用梱包箱１０（以下、「梱包箱１０」
と呼ぶ）が閉じた状態を示す概略斜視図である。光学装置４４（図５参照）は、この状態
で搬送される。
図２は、梱包箱１０が開いた状態を示す概略斜視図である。光学装置４４は、この状態
で、梱包箱１０に格納される。
図３は、プロジェクタ３０の概観の一例を示す概略斜視図である。
図４は、プロジェクタ３０を構成する光学ユニット４の主な部品を示す概略図である。
図５は、梱包箱１０に梱包される光学装置４４を示す概略図である。
【００１４】
梱包箱１０は、プロジェクタ３０の製造工程において、光学装置４４を搬送するために
使用される。
まず、プロジェクタ３０の構成を簡単に説明する。
【００１５】
（プロジェクタ３０の構成）
図３に示すように、プロジェクタ３０は筐体３２と投射レンズ４６等を有する。
図４に示すように、プロジェクタ３０の光学ユニット４は、インテグレータ照明光学系
４１、色分離光学系４２、リレー光学系４３、光変調光学系及び色合成光学系を一体化し
た光学装置（光学装置）４４、及び、投射光学系としての投射レンズ４６を有する。
【００１６】
インテグレータ照明光学系４１は、光学装置４４を構成する３枚の液晶パネル４４１（
赤、緑、青の色光ごとにそれぞれ液晶パネル４４１Ｒ，４４１Ｇ，４４１Ｂとする）の画
像形成領域を略均一に照明するための光学系である。インテグレータ照明光学系４１は、
光源装置４１１、第１レンズアレイ４１２、第２レンズアレイ４１３、偏光変換素子４１
４、及び重畳レンズ４１５を備える。
【００１７】
色分離光学系４２は、２枚のダイクロイックミラー４２１，４２２と、反射ミラー４２
３を有する。ダイクロイックミラー４２１，４２２は、インテグレータ照明光学系４１か
ら射出された複数の部分光束を赤（Ｒ）、緑（Ｇ）、青（Ｂ）の３色の色光に分離する機
能を有している。
【００１８】
リレー光学系４３は、入射側レンズ４３１と、リレーレンズ４３３と、反射ミラー４３
２，４３４と、３つのフィールドレンズ４１８とを備える。リレー光学系４３は、色分離
光学系４２で分離された色光である赤色光を液晶パネル４４１Ｒまで導く機能を有してい
る。
【００１９】
光学装置４４は、入射された光束を画像情報に応じて変調してカラー画像を形成する機
能を有する。光学装置４４は、色分離光学系４２で分離された各色光が入射される３つの
入射側偏光板４４２と、各入射側偏光板４４２の後段に配置される光変調装置としての液
晶パネル４４１Ｒ，４４１Ｇ，４４１Ｂと、各液晶パネル４４１Ｒ，４４１Ｇ，４４１Ｂ
の後段に配置される射出側偏光板４４３と、色合成光学系としてのクロスダイクロイック
プリズム４４４（以後、「プリズム４４４」と呼ぶ）を有する。
【００２０】
各液晶パネル４４１Ｒ，４４１Ｇ，４４１Ｂは、例えば、ポリシリコンＴＦＴをスイッ
チング素子として用いたものである。
入射側偏光板４４２は、色分離光学系４２で分離された各色光のうち、一定方向の変更
光のみ透過させ、その他の光束を吸収するものである。入射側偏光板４４２は、サファイ
アガラス等の基板に偏光膜が貼付されたものである。
射出側偏光板４４３も、入射側偏光板４４２と略同様に構成され、液晶パネル４４１（
４４１Ｒ，４４１Ｇ，４４１Ｂ）から射出された光束のうち、所定方向の偏光光のみ透過
させ、他の光束を吸収するものである。
入射側偏光板４４２と射出側偏光板４４３は、互いの偏光軸の方向が直交するように設
定されている。
【００２１】
プリズム４４４は、射出側偏光板４４３から射出され、各色光ごとに変調された光学像
を合成してカラー画像を形成するものである。
プリズム４４４には、赤色光を反射する誘電体多層膜と青色光を反射する誘電体多層膜
とが、４つの直角プリズムの界面に沿って略Ｘ字状に設けられ、これらの誘電体多層膜に
よる３つの色光が合成される。
【００２２】
投射レンズ４６は、光学装置４４のプリズム４４４で合成されたカラー画像を拡大して
、外部のスクリーン５０に投射するものである。
次に、光学装置４４（以後、「光学装置４４」と呼ぶ）の構造を簡単に説明する。
光学装置４４は、パネルユニットの一例である。
【００２３】
（光学装置４４の構造）
図５（ａ）に示すように、光学装置４４は、プリズム４４４と、プリズム４４４を紫外
線硬化型接着剤によって固着するためのプリズム固定板４５２を有する。プリズム固定板
４５２は、部品台座の一例である。プリズム４４４は、プリズムの一例である。
プリズム固定板４５２は、プリズム４４４の対角線に沿って伸びる脚部４５２ａを有す
る。
液晶パネル４４１（４４１Ｒ，４４１Ｇ，４４１Ｂ）、入射側偏光板４４２及び射出側
偏光板４４３は一体となってパネルユニット４４５を構成し、プリズム固定板４５２に固
着されている。パネルユニット４４５は、パネルユニットの一例である。
このように、光学装置４４は、プリズム固定板４５２の上面に固定されるパネルユニッ
ト４４５及びプリズム４４４を有する。
パネルユニット４４５は、ケーブル４５０を有し、外部から画像情報を受信することが
できるようになっている。
【００２４】
図５（ｂ）は、光学装置４４の概略側面図である。
図５（ｂ）に示すように、光学装置４４においては、プリズム固定板４５２の底部から
プリズム４４４までの高さｄ１は、プリズム固定板４５２の底部からパネルユニット４４
５までの高さｄ２よりも低い。このように、プリズム４４４は、プリズム固定板４５２の
上面において、パネルユニット４４５よりも低い状態で固定される。
続いて、光学装置４４を梱包する梱包箱１０の構造について説明する。
【００２５】
（梱包箱１０の構造）
図１及び図２に示すように、梱包箱１０は、台紙１２を有する。この台紙１２に、第１
部材１４が固着されており、第１部材１４には第２部材１６が固着されており、第２部材
１６には第３部材１８が固着されている。
また、台紙１２には、第４部材２０が固着されている。
台紙１２は、例えば、導電性のプラスチックの板である。
第１部材１４、第２部材１６、第３部材１８及び第４部材２０は、例えば、弾性変形可
能な発泡スチロールで形成されている。
【００２６】
図６は、梱包箱１０を展開したときの概略平面図である。
図７は、第１部材１４を示す概略斜視図である。
図８は、第２部材１６を示す概略斜視図である。
図９は、第３部材１８を示す概略斜視図である。
図１０は、第４部材２０を示す概略斜視図である。
【００２７】
図６に示すように、台紙１２は、例えば、横の長さＬ１１が５２０ｍｍ、縦の長さＬ１
２が５０２ｍｍの略長方形の形状である。
図６に示すように、台紙１２には、図７の第１部材１４が固着される。第１部材１４の
横の長さＬ２１は、台紙１２の横の長さＬ１１と等しい。
そして、第１部材１４には、図８の第２部材１６が固着される。第２部材１６の横の長
さＬ３１は、第１部材１４の横の長さＬ２１と等しい。
図８に示すように、第２部材１６には、貫通孔１６ａが設けられている。貫通孔１６ａ
は、例えば、横の長さＬ４１が７０ｍｍ、縦の長さＬ４２が６０ｍｍの大きさである。
【００２８】
図６に示すように、第２部材１６には、図９の第３部材１８が固着される。第３部材１
８の横の長さＬ５１は、第２部材１６の横の長さＬ３１と等しい。第３部材１８は、台座
部１８ａと壁部１８ｂを有し、壁部１８ｂの間は、空間１８ｃとなっている。空間１８ｃ
の数は、第２部材１６の貫通孔１６ａの数と等しい。
また、図６に示すように、台紙１２には、図１０の第４部材２０が固着される。第４部
材２０の横の長さＬ６１は、第１部材１４の横の長さＬ２１と等しい。第４部材２０は、
台座部２０ａと、光学装置固定部２０ｂを有する。光学装置固定部２０ｂの数は、第２部
材１６の貫通孔１６ａの数と等しい。
【００２９】
図６に示すように、台紙１２は、例えば、４つの爪部１２ａを有する。また、台紙１２
は、爪部１２ａと同数の切断部１２ｂを有する。切断部１２ｂは、線状に切断されている
。また、切断部１２ｂは略半円状の切欠部１２ｃと一体となっている。
台紙１２は、折り畳み部１２ｄ，１２ｅ，１２ｆ及び１２ｇにおいて紙面において上方
向に折り畳まれることによって、図１の形状となる。このとき、爪部１２ａは、切断部１
２ｂと係合して、梱包箱１０の閉じた状態を維持するようになっている。切り欠き部１２
ｃを有するため、爪部１２ａは切断部１２ｂと容易に係合するようになっている。
【００３０】
第３部材１８の縦の長さＬ５２（図９参照）と第４部材２０の台座部２０ａの幅Ｌ６３
（図１０参照）を合わせた長さは、第２部材１６の縦の長さＬ３２（図８参照）と等しい
。このため、梱包箱１０が閉じた状態においては、第４部材２０の台座部２０ａの内面部
２０ａａ（図１０参照）が、第３部材１８の壁部１８ｂの端面部１８ｂａに接する。これ
により、図１に示すように、梱包箱１０の側面部は、外部と遮断される。これは、梱包箱
１０の側面部は、第４部材２０の台座部２０ａによって外部と遮断されることを意味する
。すなわち、台座部２０ａは、側面遮断部材の一例である。
次に、梱包箱１０に、光学装置４４が梱包される状態を、図１１、図１２、図１３及び
図１４を使用して説明する。
【００３１】
図１１、図１２、図１３及び図１４は、梱包箱１０の要部等を示す概略図である。
図１１では、第２部材１６の貫通孔１６ａから第１部材１４が見えている。
第２部材１６の貫通孔１６ａと第１部材１４で構成される空間Ｓ１と、第３部材１８の
壁部１８ｂの間の空間Ｓ２からなる空間Ｓに、光学装置４４が格納される。
第３部材１８の壁部１８ｂが、隣接する空間Ｓに格納される各光学装置４４同士を互い
に隔離するようになっている。すなわち、第３部材１８は、隔離部材の一例である。
【００３２】
図１２に示すように、光学装置４４は、プリズム固定板４５２を空間Ｓ２側に向けて格
納される。このとき、パネルユニット４４５（図１２においては図示せず）は、第１部材
１４に接している。これに対して、プリズム４４４は、プリズム固定板４５２に対して、
パネルユニット４４５よりも低いから、第１部材１４に接していない。第１部材１４は、
光学装置４４と接して光学装置４４を保持している。すなわち、第１部材１４は、底面部
材の一例である。
図１３に示すように、ケーブル４５０は、空間Ｓ２に格納される。第３部材１８の高さ
Ｌ５３は、ケーブル４５０を格納することができる高さとして規定されている。
【００３３】
梱包箱１０が閉じると、図１４に示すように、第４部材２０の光学装置固定部２０ｂが
光学装置４４のプリズム固定板４５２の略全面において、プリズム固定板４５２に接する
。なお、光学装置固定部２０ｂの長さＬ６４（図１０参照）は、梱包箱１０が閉じた状態
において、第２部材１６貫通孔１６ａの縦の長さＬ４２（図８参照）方向の長さの半分以
上を覆うことができ、かつ、光学装置４４のケーブル４５０が空間Ｓ２に格納することを
妨げない長さとして規定されている。
これにより、光学装置４４は、梱包箱１０内において固定される。
【００３４】
梱包箱１０は、上述のように構成されている。
上述のように、第１部材１４がパネルユニット４４５と接することによって、光学装置
４４を保持することができる。これは、梱包箱１０内において、プリズム４４４は第１部
材１４近傍に格納されつつ、第１部材１４に接することはないことを意味する。このため
、梱包箱１０内において、光学装置４４の重心が低くなる。また、光学装置４４が他の部
材によって傷つくことがない。
また、プリズム固定板４５２の略全面において、第４部材２０の光学装置固定部２０ｂ
がプリズム固定板４５２と接することによって光学装置４４を固定する。これは、プリズ
ム固定板４５２が光学装置４４を固定するために接する面積が大きいことを意味する。こ
のため、梱包箱１０内において、光学装置４４をしっかりと固定することができる。また
、プリズム固定板４５２はプリズム４４４と接しないから、プリズム４４４を傷つけるこ
とはない。
これにより、梱包箱１０によれば、プリズム４４４を傷つけることなく、光学装置４４
を十分に固定することができる。
【００３５】
また、梱包箱１０は、第３部材１８の壁部１８ｂを有するから、梱包箱１０内において
、光学装置４４同士が接することはない。
これにより、光学装置４４同士が接することによって、互いに傷付け合うことを防止す
ることができる。
【００３６】
さらに、梱包箱１０の側面部は、第４部材２０の台座部２０ａによって外部と遮断され
るから、外部から梱包箱１０内に塵埃等の異物が進入することを防止することができる。
また、台座部２０ａが第４部材２０と一体に設けられているから、梱包箱１０の部品点
数を増やす必要はない。
これにより、梱包箱１０の部品点数を増やす必要はないにもかかわらず、梱包箱１０内
に塵埃等の異物が進入することを防止することができる。
【００３７】
本発明は、上述の各実施の形態に限定されない。さらに、上述の各実施の形態は、相互
に組み合わせて構成するようにしてもよい。
【図面の簡単な説明】
【００３８】
【図１】光学装置搬送用梱包箱１０が閉じた状態を示す概略斜視図。
【図２】梱包箱１０が開いた状態を示す概略斜視図。
【図３】プロジェクタ３０の概観の一例を示す概略斜視図。
【図４】光学ユニット４の主な部品を示す概略図。
【図５】光学装置４４を示す概略図。
【図６】梱包箱１０を展開したときの概略平面図。
【図７】第１部材１４を示す概略斜視図。
【図８】第２部材１６を示す概略斜視図。
【図９】第３部材１８を示す概略斜視図。
【図１０】第４部材２０を示す概略斜視図。
【図１１】梱包箱１０の要部等を示す概略図。
【図１２】梱包箱１０の要部等を示す概略図。
【図１３】梱包箱１０の要部等を示す概略図。
【図１４】梱包箱１０の要部等を示す概略図。
【図１５】従来の梱包箱１００の一例等を示す概略図。
【符号の説明】
【００３９】
１０…光学装置搬送用梱包箱、１２…台紙、１４…第１部材、１６…第２部材、１８…
第３部材、２０…第４部材、４４…光学装置、４４４…プリズム、４４５…パネルユニッ
ト、４５０…ケーブル、４５２…プリズム固定板。
【図１】
2008195452.tif 000003
【図２】
2008195452.tif 000004
【図３】
2008195452.tif 000005
【図４】
2008195452.tif 000006
【図５】
2008195452.tif 000007
【図６】
2008195452.tif 000008
【図７】
2008195452.tif 000009
【図８】
2008195452.tif 000010
【図９】
2008195452.tif 000011
【図１０】
2008195452.tif 000012
【図１１】
2008195452.tif 000013
【図１２】
2008195452.tif 000014
【図１３】
2008195452.tif 000015
【図１４】
2008195452.tif 000016
【図１５】
2008195452.tif 000017